(57)【要約】【課題】３つ以上の分岐電線の伸長方向の自由度を高めることができる技術を提供することを目的とする。【解決手段】配線部材１０は、複数の電線２０、２１、２２、２３、２４、２５と、樹脂成形部４０と、を備える。複数の電線２０、２１、２２、２３、２４、２５において、第１束電線部３０が第１分岐位置Ｐ１にて第１分岐電線部３２と第２束電線部３４とに分岐し、第２束電線部３４が第２分岐位置Ｐ２にて第２分岐電線部３６と第３分岐電線部３８とに分岐している。樹脂成形部４０は、一体に形成されている第１保持部４２と、第２保持部５２とを含む。第１保持部４２は、第１分岐位置Ｐ１にて電線２０、２１、２２、２３、２４、２５を覆い、第１分岐電線部３２の伸長方向を保持する。第２保持部５２は、第２分岐位置Ｐ２にて電線２２、２３、２４、２５を覆い、第２分岐電線部３６及び第３分岐電線部３８の伸長方向を保持する。【選択図】図２
2020061841.tif 000002
【特許請求の範囲】
【請求項１】
複数の電線を束ねてなる第１束電線部が第１分岐位置にて第１分岐電線部と第２束電線部とに分岐し、前記第２束電線部が第２分岐位置にて第２分岐電線部と第３分岐電線部とに分岐し、
前記第１分岐位置にて前記電線を覆い、前記第１分岐電線部の前記第１分岐位置での伸長方向を保持する第１保持部と、前記第２分岐位置にて前記電線を覆い、前記第２分岐電線部及び前記第３分岐電線部の前記第２分岐位置での伸長方向を保持する第２保持部とを含み、前記第１保持部と前記第２保持部とが一体に形成されている樹脂成形部を備える、配線部材。
【請求項２】
請求項１に記載の配線部材であって、
前記複数の電線を覆うシースをさらに備え、
前記第１保持部は、前記シースの端部を覆う、配線部材。
【請求項３】
請求項１又は請求項２に記載の配線部材であって、
前記配線部材を取付対象に取付けるための取付部材が接続される接続部が、前記樹脂成形部に形成されている、配線部材。
【請求項４】
請求項１から請求項３のいずれか１項に記載の配線部材であって、
前記第１保持部によって保持された前記第１分岐電線部の伸長方向と、前記第２保持部によって保持された前記第２分岐電線部又は前記第３分岐電線部の伸長方向とが、平行である、配線部材。
【請求項５】
請求項１から請求項３のいずれか１項に記載の配線部材であって、
前記第１保持部によって保持された前記第１分岐電線部の伸長方向と、前記第２保持部によって保持された前記第２分岐電線部及び前記第３分岐電線部それぞれの伸長方向とが、すべて異なる方向である、配線部材。
【発明の詳細な説明】
【技術分野】
【０００１】
この発明は、配線部材に関する。
【背景技術】
【０００２】
特許文献１は、ＡＢＳセンサ用ケーブルとパーキングブレーキ用ケーブルとを備える複合ハーネスにおけるシースの端部から、ＡＢＳセンサ用ケーブルとパーキングブレーキ用ケーブルとが分岐し、当該分岐部分に成形部を設けて、各ケーブルの引き出し方向を固定する技術を開示している。
【先行技術文献】
【特許文献】
【０００３】
【特許文献１】特開２０１６−９１７３１号公報
【発明の概要】
【発明が解決しようとする課題】
【０００４】
特許文献１ではＡＢＳセンサ用ケーブルとパーキングブレーキ用ケーブルとの２つのケーブルが分岐するものであったが、３つ以上のケーブルが分岐する場合もあり得る。この場合、３つ以上のケーブルが一の分岐位置から分岐していると、３つ以上のケーブルの伸長方向の自由度が低くなる恐れがある。
【０００５】
そこで本発明は、３つ以上の分岐電線の伸長方向の自由度を高めることができる技術を提供することを目的とする。
【課題を解決するための手段】
【０００６】
上記課題を解決するため、第１の態様に係る配線部材は、複数の電線を束ねてなる第１束電線部が第１分岐位置にて第１分岐電線部と第２束電線部とに分岐し、前記第２束電線部が第２分岐位置にて第２分岐電線部と第３分岐電線部とに分岐し、前記第１分岐位置にて前記電線を覆い、前記第１分岐電線部の前記第１分岐位置での伸長方向を保持する第１保持部と、前記第２分岐位置にて前記電線を覆い、前記第２分岐電線部及び前記第３分岐電線部の前記第２分岐位置での伸長方向を保持する第２保持部とを含み、前記第１保持部と前記第２保持部とが一体に形成されている樹脂成形部を備える。
【０００７】
第２の態様に係る配線部材は、第１の態様に係る配線部材であって、前記複数の電線を覆うシースをさらに備え、前記第１保持部は、前記シースの端部を覆う。
【０００８】
第３の態様に係る配線部材は、第１又は第２の態様に係る配線部材であって、前記配線部材を取付対象に取付けるための取付部材が接続される接続部が、前記樹脂成形部に形成されている。
【０００９】
第４の態様に係る配線部材は、第１から第３のいずれか１つの態様に係る配線部材であって、前記第１保持部によって保持された前記第１分岐電線部の伸長方向と、前記第２保持部によって保持された前記第２分岐電線部又は前記第３分岐電線部の伸長方向とが、平行である。
【００１０】
第５の態様に係る配線部材は、第１から第３のいずれか１つの態様に係る配線部材であって、前記第１保持部によって保持された前記第１分岐電線部の伸長方向と、前記第２保持部によって保持された前記第２分岐電線部及び前記第３分岐電線部それぞれの伸長方向とが、すべて異なる方向である。
【発明の効果】
【００１１】
各態様によると、第１分岐電線部と、第２分岐電線部及び第３分岐電線部とが、一の樹脂成形部によって伸長方向が保持されつつ、異なる分岐位置で分岐している。このため、第１分岐電線部に対する第２分岐電線部及び第３分岐電線部の伸長方向の自由度を高めることができる。
【００１２】
第２の態様によると、第１保持部によってシースの端部を止水することができる。
【００１３】
第３の態様によると、接続部を樹脂成形部と一体で設けることができる。
【００１４】
第４の態様によると、第１分岐電線部と、第２分岐電線部又は第３分岐電線部とを平行に伸長させることができる。
【００１５】
第５の態様によると、第１分岐電線部、第２分岐電線部、及び第３分岐電線部をそれぞれ異なる方向に伸長させることができる。
【図面の簡単な説明】
【００１６】
【図１】実施形態に係る配線部材を示す斜視図である。
【図２】実施形態に係る配線部材を示す縦断面図である。
【図３】配線部材の変形例を示す縦断面図である。
【発明を実施するための形態】
【００１７】
｛実施形態｝
以下、実施形態に係る配線部材について説明する。図１は、実施形態に係る配線部材１０を示す斜視図である。図２は、実施形態に係る配線部材１０を示す縦断面図である。なお、図２において電線及びこれに被さるシース等は断面図とされていない。以下の縦断面図でも同様である。
【００１８】
配線部材１０は、複数の電線２０、２１、２２、２３、２４、２５と、樹脂成形部４０とを備える。
【００１９】
電線２０、２１は、芯線と、芯線の周囲を覆う被覆とを備える。芯線は、銅、銅合金、アルミニウム、アルミニウム合金等によって形成された導電線である。芯線は、単線であってもよいし、撚り合せ線であってもよい。被覆は、樹脂等によって形成された絶縁被覆であり、芯線の周囲に樹脂を押出被覆等することによって形成される。例えば電線２０、２１は、信号の伝達を行う信号線である。例えば配線部材１０が車載される場合、電線２０、２１はＡＢＳ(Anti-Lock Brake System：アンチロックブレーキシステム)において、車輪の速度を検出するためのセンサ（図示省略）からの信号を伝達する信号線とすることができる。なお、図１、２において電線２０、２１の先端部は省略されている。
【００２０】
電線２２、２３、２４、２５は、電線２０、２１と同様に、芯線と、芯線の周囲を覆う被覆とを備える。例えば、電線２２、２３、２４、２５は、電力を伝達する電源線である。例えば配線部材１０が車載される場合、電線２２、２３、２４、２５はＥＰＢ（Electric Parking Brake：電動パーキングブレーキ）などに対して電力を供給する電源線とすることができる。なお、図１、２において電線２２、２３、２４、２５の先端部は省略されている。
【００２１】
複数の電線２０、２１、２２、２３、２４、２５の周囲は、シース２７（ジャケットなどとも呼ばれる）によって覆われている。シース２７は、樹脂等によって形成された絶縁被覆であり、複数の電線２０、２１、２２、２３、２４、２５の周囲に樹脂を押出被覆等することによって形成される。シース２７は省略されてもよい。
【００２２】
シース２７は、複数の電線２０、２１、２２、２３、２４、２５の一端寄りの部分（図２の上寄りの部分）を覆っている。シース２７は、複数の電線２０、２１、２２、２３、２４、２５の延在方向中間の位置で、複数の電線２０、２１、２２、２３、２４、２５を露出させる端部２８を有している。複数の電線２０、２１、２２、２３、２４、２５は、シース２７が設けられた部分では当該シース２７によって１つに束ねられた形態となっている。
【００２３】
複数の電線２０、２１、２２、２３、２４、２５は、シース２７の端部２８から伸長し、複数に分岐している。ここでは、複数の電線２０、２１、２２、２３、２４、２５は、第１分岐位置Ｐ１において電線２０、２１と、電線２２、２３、２４、２５との２つに分岐している。また電線２２、２３、２４、２５は、第２分岐位置Ｐ２において電線２２、２３と、電線２４、２５との２つに分岐している。
【００２４】
以下の説明において、上記電線２０、２１、２２、２３、２４、２５のうち一端寄りの部分においてシース２７によって束ねられた部分を第１束電線部３０という場合がある。また、電線２０、２１、２２、２３、２４、２５のうち第１分岐位置Ｐ１においてシース２７の端部２８から伸長して一方に分岐した電線２０、２１の部分を第１分岐電線部３２といい、他方に分岐した電線２２、２３、２４、２５の部分を第２束電線部３４という場合がある。また、電線２２、２３、２４、２５のうち第２分岐位置Ｐ２において一方に分岐した電線２２、２３の部分を第２分岐電線部３６といい、他方に分岐した電線２４、２５の部分を第３分岐電線部３８という場合がある。
【００２５】
ここでは第１分岐電線部３２、第２分岐電線部３６、第３分岐電線部３８が一の平面内で延びている。このとき第１分岐電線部３２及び第２分岐電線部３６が平行に延び、これらと交差する方向に第３分岐電線部３８が延びている。さらにここでは、第１束電線部３０、第１分岐電線部３２、第２束電線部３４、第２分岐電線部３６、第３分岐電線部３８が一の平面内に伸長している。
【００２６】
また第１束電線部３０、第１分岐電線部３２、第２束電線部３４、第２分岐電線部３６、第３分岐電線部３８は、分岐位置以外で曲がっていない。もっとも、第１束電線部３０、第１分岐電線部３２、第２束電線部３４、第２分岐電線部３６、第３分岐電線部３８は、分岐位置以外で曲がっている部分を有していてもよく、さらにこの曲がっている部分が樹脂成形部４０で覆われて経路保持されていてもよい。
【００２７】
電線２０、２１の周囲には、被覆層２６（シースなどとも呼ばれる）が形成されている。従って、第１分岐電線部３２を構成する電線として複数の被覆電線２０、２１と複数の被覆電線２０、２１の周囲を覆う被覆層２６とを有するケーブルが用いられている。かかるケーブルは、上記シース２７の内部まで伸長している。これに対して、第２束電線部３４を構成する電線として、電線２２、２３、２４、２５が単体で用いられている。従って、シース２７は、単体の電線２２、２３、２４、２５と、ケーブルとの５本の線材を覆っている。もちろん第１分岐電線部３２を構成する電線として、第２束電線部３４を構成する電線２２、２３、２４、２５と同様に被覆層２６のない単体の被覆電線が１本又は複数本用いられていてもよい。また第２束電線部３４を構成する電線として、複数の被覆電線が被覆層２６で覆われたケーブルが採用されてもよい。第２束電線部３４を構成する電線として、ケーブルが採用される場合、第２分岐位置Ｐ２にて被覆層２６の端部から電線が伸長するように構成されていてもよい。
【００２８】
樹脂成形部４０は、第１保持部４２と、第２保持部５２とを含む。樹脂成形部４０は、一体成形されている。
【００２９】
第１保持部４２は、シース２７の端部２８と、シース２７の端部２８から分岐する複数の電線２０、２１、２２、２３、２４、２５の基端部とを覆っている。つまり、第１保持部４２は、第１束電線部３０の先端部（ここではシース２７の端部２８）を覆う第１束電線覆い部４４と、第１分岐電線部３２の基端部（ここでは第１分岐電線部３２のうちシース２７の端部２８寄りの部分）を覆う第１分岐電線覆い部４６と、第２束電線部３４の基端部（ここでは第２束電線部３４のうちシース２７の端部２８寄りの部分）を覆う第２束電線覆い部４８とを備える。
【００３０】
第１束電線覆い部４４には、接続部４５が形成されている。第１束電線覆い部４４の外形は、接続部４５が形成された部分を除いて、角形状に形成されているが、これは必須ではなく、円形状等に形成されていてもよい。樹脂成形部４０における他の部分でも同様である。
【００３１】
接続部４５は、取付部材７０が接続される部分である。接続部４５は、第１束電線覆い部４４のうち他の部分よりも細くなっており、取付部材７０の外装がしやすくなっている。接続部４５は、第１束電線覆い部４４のうち、シース２７を覆う部分に形成されている。特にここでは、接続部４５は、シース２７のうち端部２８の縁よりも中間部側に位置するように形成されている。これにより、第１束電線覆い部４４のうち、シース２７の端部２８の縁を覆う部分の厚みを大きくすることができる。
【００３２】
第１分岐電線覆い部４６及び第２束電線覆い部４８は、第１束電線覆い部４４の先端側に連続して設けられている。第１分岐電線覆い部４６は、第１束電線覆い部４４の延長線上に伸長している。第２束電線覆い部４８は、第１束電線覆い部４４及び第１分岐電線覆い部４６と交差する方向に伸長している。もっとも第２束電線覆い部４８が第１束電線覆い部４４の延長線上に伸長し、第１分岐電線覆い部４６が第１束電線覆い部４４及び第２束電線覆い部４８と交差する方向に伸長していてもよい。また第１束電線覆い部４４、第１分岐電線覆い部４６及び第２束電線覆い部４８は、相互に交差するように伸長していてもよい。第１分岐電線覆い部４６は、第１分岐電線部３２の伸長方向を保持している。第２束電線覆い部４８は、第２束電線部３４の伸長方向を保持している。第１分岐電線覆い部４６及び第２束電線覆い部４８それぞれは、第１束電線覆い部４４と比べて覆う電線の数が少なくなる。このため、第１分岐電線覆い部４６及び第２束電線覆い部４８は、第１束電線覆い部４４よりも細く形成されていてもよい。もちろん第１分岐電線覆い部４６及び第２束電線覆い部４８は、第１束電線覆い部４４と同じかそれよりも太く形成されていてもよい。
【００３３】
第１保持部４２は、電線２０、２１、２２、２３、２４、２５のうち分岐部分の形状の維持（経路保持）、シース２７の端部２８の止水等が可能とされている。特に、第１保持部４２において接続部４５と比べて厚く形成されている部分が、電線２０、２１、２２、２３、２４、２５のうち分岐部分の形状の維持（経路保持）、シース２７の端部２８の止水等を主として行っている。第１保持部４２によってシース２７の端部２８の止水がなされることにより、水等がシース２７の端部２８の開口からシース２７の中へ浸入することを防ぐことができる。
【００３４】
第２保持部５２は、第２束電線部３４の先端部と、第２束電線部３４の先端部から分岐する複数の電線２２、２３、２４、２５の基端部とを覆っている。つまり、第２保持部５２は、第２束電線部３４の先端部を覆う第２束電線覆い部５４と、第２分岐電線部３６の基端部（ここでは第２分岐電線部３６のうち第２束電線部３４の先端部寄りの部分）を覆う第２分岐電線覆い部５６と、第３分岐電線部３８の基端部（ここでは第３分岐電線部３８のうち第２束電線部３４の先端部寄りの部分）を覆う第３分岐電線覆い部５８とを備える。
【００３５】
第２保持部５２における第２束電線覆い部５４は、第１保持部４２における第２束電線覆い部４８の延長線上に伸長している。もっとも第２保持部５２における第２束電線覆い部５４は、第１保持部４２における第２束電線覆い部４８と交差する方向に伸長していてもよい。第２分岐電線覆い部５６及び第３分岐電線覆い部５８は、第２束電線覆い部５４の先端側に連続して設けられている。第３分岐電線覆い部５８は、第２束電線覆い部５４の延長線上に伸長している。第２分岐電線覆い部５６は、第２束電線覆い部５４及び第３分岐電線覆い部５８と交差する方向に伸長している。もっとも第２束電線覆い部５４、第２分岐電線覆い部５６及び第３分岐電線覆い部５８は、相互に交差するように伸長していてもよい。第２分岐電線覆い部５６は、第１分岐電線覆い部４６と平行な方向に伸長している。第２分岐電線覆い部５６は、第２分岐電線部３６の伸長方向を保持している。第３分岐電線覆い部５８は、第３分岐電線部３８の伸長方向を保持している。第２分岐電線覆い部５６及び第３分岐電線覆い部５８それぞれは、第２束電線覆い部５４と比べて覆う電線の数が少なくなる。このため、第２分岐電線覆い部５６及び第３分岐電線覆い部５８は、第２束電線覆い部５４よりも細く形成されている。
【００３６】
第２保持部５２は、電線２２、２３、２４、２５のうち分岐部分の形状の維持（経路保持）が可能とされている。さらにここでは第１保持部４２と第２保持部５２とが直接連なっている。より具体的には、ここでは第１保持部４２における第２束電線覆い部４８と、第２保持部５２における第２束電線覆い部５４とが連なっていることによって、第１保持部４２と第２保持部５２とが直接連なっている。従って、ここでは第２束電線部３４は第１保持部４２と第２保持部５２とによって全長に亘って経路保持されている。なお第１保持部４２に形成された第２束電線覆い部４８は、第２束電線基端部覆い部ととらえることができる。同様に、第２保持部５２に形成された第２束電線覆い部５４は、第２束電線先端部覆い部ととらえることができる。
【００３７】
ここでは第１分岐電線部３２及び第２分岐電線部３６が平行に伸長すると共に、第３分岐電線部３８がこれらに交差する方向に伸長するように、これら３つの分岐電線部３２、３６、３８が一の平面内に伸長するように第１分岐電線覆い部４６、第２分岐電線覆い部５６及び第３分岐電線覆い部５８が、第１分岐電線部３２、第２分岐電線部３６及び第３分岐電線部３８の伸長方向を保持している。このとき第１分岐電線部３２が第１束電線部３０の延長線上に伸長するように、第１分岐電線覆い部４６が第１分岐電線部３２の伸長方向を保持している。また第３分岐電線部３８が第２束電線部３４の延長線上に伸長するように、第３分岐電線覆い部５８が第３分岐電線部３８の伸長方向を保持している。もちろん第３分岐電線部３８が第２束電線部３４に対して交差する方向に延びていてもよい。
【００３８】
第１分岐電線覆い部４６、第２分岐電線覆い部５６及び第３分岐電線覆い部５８は、それぞれ第１分岐電線部３２、第２分岐電線部３６及び第３分岐電線部３８をその中間部まで覆っている。第１分岐電線覆い部４６、第２分岐電線覆い部５６及び第３分岐電線覆い部５８は、それぞれ第１分岐電線部３２、第２分岐電線部３６及び第３分岐電線部３８の中間部に応じた大きさに形成されている。もっとも第１分岐電線覆い部４６、第２分岐電線覆い部５６及び第３分岐電線覆い部５８は、それぞれ第１分岐電線部３２、第２分岐電線部３６及び第３分岐電線部３８をその端末部まで覆っていてもよい。
【００３９】
上記のような樹脂成形部４０は、例えば、ウレタン樹脂等の樹脂によって形成することができる。具体的には、上記のような樹脂成形部４０は、例えば、第１束電線部３０の端部（ここではシース２７の端部２８）、第１分岐電線部３２の基端部、第２束電線部３４、第２分岐電線部３６の基端部、及び第３分岐電線部３８をインサート対象部分として、射出成形金型を用いて、インサート成形することによって一体形成することができる。つまり、樹脂成形部４０は、モールド成形部品である。かかる第１保持部４２は、シース２７の外周面、第１分岐電線部３２の外周面（ここでは、被覆層２６の外周面）、第２束電線部３４の外周面（ここでは電線２２、２３、２４、２５の被覆の外周面）に液密に接した状態で、シース２７の端部２８の開口を封止している。
【００４０】
樹脂成形部４０（ここでは第１保持部４２）には、配線部材１０を取付対象へ取付けるための取付部材７０が設けられている。取付対象は、例えば、車両である。例えば、かかる配線部材１０が車載される場合であって、電線２０、２１、２２、２３、２４、２５が、車輪の回転速度を検出するセンサ用、ＥＰＢ用などである場合、配線部材１０の図示省略の一端部（分岐前の部分）は、車体側の部位に接続され、他端部（第１分岐電線部３２、第２分岐電線部３６、及び第３分岐電線部３８の先端部）は車輪側の部位に接続される。また取付部材７０は、車体に取付され、配線部材１０の中間部を一定位置に支持する。
【００４１】
第１保持部４２には、上記したように、接続部４５が形成されている。接続部４５は、第１束電線覆い部４４に設けられている。接続部４５は、第１束電線覆い部４４のうち他の部分よりも細くなっており、取付部材７０を外装可能に設けられる。
【００４２】
取付部材７０は、第１取付部７２と、第２取付部７６とを含む。第１取付部７２は、車両等の取付対象に取付けられる部分である。第２取付部７６は第１保持部４２に取付けられる部分である。第１取付部７２は板状に形成されると共にボルト締め等によって取付対象に取付けられるボルト締結用の貫通孔７３が形成された構成が採用されている。第２取付部７６は、板状に形成されて接続部４５にかしめられることによって第１保持部４２に接続されている。取付部材７０は、樹脂又は金属等で一体成形された部材であり、ブラケットなどとも呼ばれる。
【００４３】
以上のように構成された配線部材１０によると、第１分岐電線部３２と、第２分岐電線部３６及び第３分岐電線部３８とが、一の樹脂成形部４０によって伸長方向が保持されつつ、異なる分岐位置で分岐している。このため、第１分岐電線部３２に対する第２分岐電線部３６及び第３分岐電線部３８の伸長方向の自由度を高めることができる。例えば配線部材１０では、第１保持部４２によって保持された第１分岐電線部３２の伸長方向と、第２保持部５２によって保持された第２分岐電線部３６の伸長方向とが、平行であるため、第１分岐電線部３２と、第２分岐電線部３６とを平行に伸長させることができる。このとき、一の樹脂成形部４０が第１分岐電線部３２、第２分岐電線部３６、及び第３分岐電線部３８の伸長方向を保持しているため、保持部材を簡易に設けることができる。また第２束電線部３４が樹脂成形部４０に覆われているため、第２束電線部３４が剥き出しになることが抑制される。また第２束電線部３４が樹脂成形部４０によって保持されているため、第１分岐電線部３２の伸長方向に対する第２分岐電線部３６及び第３分岐電線部３８の伸長方向を高精度に保持することができる。
【００４４】
また接続部４５が樹脂成形部４０に形成されているため、接続部４５を樹脂成形部４０と一体で設けることができる。
【００４５】
また第１保持部４２は、シース２７の端部２８を覆っているため、第１保持部４２によってシース２７の端部２８を止水することができる。つまり、止水部と接続部４５とを一体成形することができる。特に、第２分岐電線部３６及び第３分岐電線部３８が第２分岐位置Ｐ２において分岐している。このため、第１分岐位置Ｐ１における分岐数が少なくっている。これにより、シース２７の端部２８の周辺で狭い空間が少なくなる。この結果、樹脂成形時の樹脂周りが良くなることによって、シース２７の端部２８の止水が容易となる。
【００４６】
｛変形例｝
実施形態において、複数の電線２０、２１、２２、２３、２４、２５が、２つの分岐位置で分岐しているものとして説明してきたが、このことは必須の構成ではない。複数の電線が、３つ以上の分岐位置で分岐していてもよい。また実施形態において、複数の電線２０、２１、２２、２３、２４、２５が、第１分岐位置Ｐ１において２つに分岐しているものとして説明してきたが、このことは必須の構成ではない。複数の電線は、第１分岐位置Ｐ１において３つ以上に分岐していてもよい。他の分岐位置でも同様である。
【００４７】
また実施形態では、第１分岐電線部３２に対して第２分岐電線部３６の伸長方向が平行であるものとして説明してきたが、このことは必須の構成ではない。第１分岐電線覆い部４６、第２分岐電線覆い部５６、及び第３分岐電線覆い部５８の保持する第１分岐電線部３２、第２分岐電線部３６、及び第３分岐電線部３８の伸長方向は任意の方向に設定可能である。例えば、第１分岐電線部３２に対して第３分岐電線部３８の伸長方向が平行であることが考えられる。また例えば、第１分岐電線部３２、第２分岐電線部３６及び第３分岐電線部３８が一の平面内で相互に異なる方向に伸長することが考えられる。図３に示す例では、第１分岐電線部３２、第２分岐電線部１３６及び第３分岐電線部３８が一の平面内で相互に異なる方向に伸長するように、第２保持部１５２における第２分岐電線覆い部１５６が第２分岐電線部１３６を経路保持している配線部材１１０を示している。
【００４８】
このほか例えば、第１分岐電線部３２、第２分岐電線部３６及び第３分岐電線部３８の伸長方向が同一平面になく、３次元的であることが考えられる。このような配線部材として、例えば、上記配線部材１０における第２保持部５２が第１保持部４２に対して第２束電線部３４に沿った軸周りに回転したような形状に形成されていることが考えられる。このような配線部材は、例えば、第１保持部用の射出成形金型を抜く方向と、第２保持部用の射出成形金型を抜く方向とが交差するように設定されることにより形成可能である。第１分岐電線部３２、第２分岐電線部３６及び第３分岐電線部３８の伸長方向が３次元的である場合でも、第１分岐電線部３２と、第２分岐電線部３６又は第３分岐電線部３８とが平行であったり、第１分岐電線部３２、第２分岐電線部３６及び第３分岐電線部３８が相互に異なる方向に伸長したりすることが考えられる。
【００４９】
また実施形態において樹脂成形部４０がシース２７の端部２８の止水を行うものとして説明してきたが、このことは必須の構成ではない。樹脂成形部４０がシース２７の端部２８の止水機能を有していない場合もあり得る。
【００５０】
また実施形態において、配線部材１０は、６本の電線２０、２１、２２、２３、２４、２５を備えるものとして説明してきたが、このことは必須の構成ではない。配線部材は、３本乃至５本の電線を備えるものであってもよいし、７本以上の電線を備えるものであってもよい。配線部材が７本以上の電線を備える場合、例えば、アクティブサスペンション用の電線が採用されて７本以上の電線を備えるものであってもよいし、センサ用の電線が採用されて７本以上の電線を備えるものであってもよい。
【００５１】
上記実施形態及び各変形例において、複数の電線の全てが電力線であってもよいし、複数の電線の全てが信号線であってもよい。また、複数の電線を電力線と信号線との組合せとする場合に、いずれを電力線とし、いずれを信号線とするかは任意である。例えば、ＥＰＢ用の電線に換えて、アクティブサスペンション用の電線又はセンサ用の電線が採用されてもよい。
【００５２】
また実施形態において、樹脂成形部４０に取付部材７０が設けられるものとして説明してきたが、このことは必須の構成ではない。樹脂成形部４０に取付部材７０が設けられないことも考えられる。また樹脂成形部４０に取付部材７０が設けられる場合でも、樹脂成形部４０に形成される接続部４５の位置は上記した位置に限られない。例えば、第１保持部に換えて第２保持部に接続部４５が形成されて第２保持部に取付部材７０が設けられていてもよい。また例えば、第１保持部４２と第２保持部との両方に取付部材７０が設けられてもよい。
【００５３】
また樹脂成形部４０に取付部材７０が設けられる場合でも、取付部材７０が樹脂成形部４０に外装されることは必須の構成ではない。例えば、接続部４５に取付部材７０の第２取付部が埋設された状態で接続されていてもよい。この場合、樹脂成形部４０は、取付部材７０の第２取付部をもインサート対象部分として射出成形金型を用いてインサート成形されてもよい。また例えば、取付部材は樹脂成形部と一体成形されていてもよい。この場合、取付部材の第１取付部７２が樹脂成形部における接続部から伸長するように接続部と一体成形されていてもよいし、樹脂成形部における他の部分と一体成形されていてもよい。さらに樹脂成形部４０に取付部材７０が外装される場合でも、取付部材７０の形状は、上記したものに限られない。第１取付部は、取付対象に取付可能に形成されていればよく、例えば、取付対象に形成された孔部に挿入係止可能なクリップ状に形成されていてもよい。また第２取付部は、樹脂成形部４０に取付け可能に形成されていればよく、例えば樹脂成形部４０に巻き付け可能なバンド部と、バンド部の先端を係止可能なバンド係止部とを含む形状に形成されていてもよい。
【００５４】
また実施形態において、樹脂成形部４０は、第１保持部４２と第２保持部５２とが直接連なるように一体成形されているものとして説明してきたが、このことは必須の構成ではない。例えば、樹脂成形部４０は、第１保持部４２と第２保持部５２との間に、第２束電線部３４の経路保持をしない連結部をさらに含むように、一体成形されていてもよい。より詳細には、連結部は、その第１端部が第１保持部４２における第２束電線覆い部４８に連なり、その第２端部が第２保持部５２における第２束電線覆い部５４に連なり、第２束電線部３４の中間部を覆う。そして、連結部は、例えば、第１保持部４２における第２束電線覆い部４８及び第２保持部５２における第２束電線覆い部５４よりも厚みが薄く形成されるなどして、第２束電線部３４の中間部の経路保持をしない。つまり、連結部付きの第２束電線部は、連結部において曲げ容易である。
【００５５】
なお、上記実施形態及び各変形例で説明した各構成は、相互に矛盾しない限り適宜組み合わせることができる。
【００５６】
以上のようにこの発明は詳細に説明されたが、上記した説明は、すべての局面において例示であって、この発明がそれに限定されるものではない。例示されていない無数の変形例が、この発明の範囲から外れることなく想定され得るものと解される。
【符号の説明】
【００５７】
１０  配線部材
２０、２１、２２、２３、２４、２５  電線
２６  被覆層
２７  シース
２８  シースの端部
３０  第１束電線部
３２  第１分岐電線部
３４  第２束電線部
３６  第２分岐電線部
３８  第３分岐電線部
４０  樹脂成形部
４２  第１保持部
４４  第１束電線覆い部
４５  接続部
４６  第１分岐電線覆い部
４８  第２束電線覆い部
５２  第２保持部
５４  第２束電線覆い部
５６  第２分岐電線覆い部
５８  第３分岐電線覆い部
７０  取付部材
７２  第１取付部
７６  第２取付部
Ｐ１  第１分岐位置
Ｐ２  第２分岐位置
【図１】
2020061841.tif 000003
【図２】
2020061841.tif 000004
【図３】
2020061841.tif 000005
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
複数の電線を束ねてなる第１束電線部が第１分岐位置にて第１分岐電線部と第２束電線部とに分岐し、前記第２束電線部が第２分岐位置にて第２分岐電線部と第３分岐電線部とに分岐し、
前記第１分岐位置にて前記電線を覆い、前記第１分岐電線部の前記第１分岐位置での伸長方向を保持する第１保持部と、前記第２分岐位置にて前記電線を覆い、前記第２分岐電線部及び前記第３分岐電線部の前記第２分岐位置での伸長方向を保持する第２保持部とを含み、前記第１保持部と前記第２保持部とが一体に形成されている樹脂成形部を備え、
前記第１分岐電線部、前記第２分岐電線部、及び前記第３分岐電線部の電線は、すべて前記第１束電線部から延びており、
前記樹脂成形部は、前記第１保持部と前記第２保持部との間で前記第２束電線部の経路保持をしている、配線部材。
【請求項２】
請求項１に記載の配線部材であって、
前記複数の電線を覆うシースをさらに備え、
前記第１保持部は、前記シースの端部を覆う、配線部材。
【請求項３】
請求項１又は請求項２に記載の配線部材であって、
前記配線部材を取付対象に取付けるための取付部材が接続される接続部が、前記樹脂成形部に形成されている、配線部材。
【請求項４】
請求項１から請求項３のいずれか１項に記載の配線部材であって、
前記第１保持部によって保持された前記第１分岐電線部の伸長方向と、前記第２保持部によって保持された前記第２分岐電線部又は前記第３分岐電線部の伸長方向とが、平行である、配線部材。
【請求項５】
請求項１から請求項３のいずれか１項に記載の配線部材であって、
前記第１保持部によって保持された前記第１分岐電線部の伸長方向と、前記第２保持部によって保持された前記第２分岐電線部及び前記第３分岐電線部それぞれの伸長方向とが、すべて異なる方向である、配線部材。
【手続補正２】
【補正対象書類名】明細書
【補正対象項目名】０００６
【補正方法】変更
【補正の内容】
【０００６】
上記課題を解決するため、第１の態様に係る配線部材は、複数の電線を束ねてなる第１束電線部が第１分岐位置にて第１分岐電線部と第２束電線部とに分岐し、前記第２束電線部が第２分岐位置にて第２分岐電線部と第３分岐電線部とに分岐し、前記第１分岐位置にて前記電線を覆い、前記第１分岐電線部の前記第１分岐位置での伸長方向を保持する第１保持部と、前記第２分岐位置にて前記電線を覆い、前記第２分岐電線部及び前記第３分岐電線部の前記第２分岐位置での伸長方向を保持する第２保持部とを含み、前記第１保持部と前記第２保持部とが一体に形成されている樹脂成形部を備え、前記第１分岐電線部、前記第２分岐電線部、及び前記第３分岐電線部の電線は、すべて前記第１束電線部から延びており、前記第１樹脂成形部は、前記第１保持部と前記第２保持部との間で前記第２束電線部の経路保持をしている。